(57)【要約】【課題】汎用のアプリケーションを利用する場合でも、使用するデバイスの搭載位置をユーザに知らせることができる。【解決手段】アプリケーションを実行する際に利用されるデバイスと、アプリケーションを実行するとともに、上記実行しているアプリケーションが利用するデバイスの利用開始の通知を行うアプリケーション実行部(２)と、上記デバイスの搭載位置を表す画像の画像データが格納されたデバイス位置画像データベース(３)と、上記アプリケーション実行部(２)からの上記通知に呼応して、デバイス位置画像データベース(３)から、上記アプリケーションが利用する当該デバイスの搭載位置を表す画像の画像データを取得するデバイス利用制御部(４)と、上記取得された画像データに基づいて、当該デバイスの搭載位置を表す画像を表示する表示装置(１)とを備えている。【選択図】図１
2015061223.tif 000002
【特許請求の範囲】
【請求項１】
アプリケーションを実行する際に利用されるデバイスと、
アプリケーションを実行すると共に、上記実行しているアプリケーションが利用する上記デバイスの利用開始の通知を行うアプリケーション実行部と、
上記デバイスの搭載位置を表す画像の画像データが格納されたデバイス位置画像データベースと、
上記アプリケーション実行部からの上記通知に呼応して、上記デバイス位置画像データベースから、上記アプリケーションが利用する当該デバイスの搭載位置を表す画像の画像データを取得するデバイス利用制御部と、
上記取得された画像データに基づいて、当該デバイスの搭載位置を表す画像を表示する表示装置と
を備えたことを特徴とする情報端末装置。
【請求項２】
請求項１に記載の情報端末装置において、
上記デバイス利用制御部は、上記取得した画像データを上記表示装置に送出するようになっており、
上記表示装置は、上記デバイス利用制御部から送出されてくる上記画像データに基づいて、当該デバイスの搭載位置を表す画像を表示するようになっている
ことを特徴とする情報端末装置。
【請求項３】
請求項２に記載の情報端末装置において、
上記表示装置は、
上記アプリケーション実行部からの画像データに基づいて、上記実行されているアプリケーションによる画像をも表示するようになっており、
上記アプリケーションによる画像を表示している場合には、当該デバイスの搭載位置を表す画像を、上記アプリケーションによる画像に重畳して表示するようになっている
ことを特徴とする情報端末装置。
【請求項４】
請求項１に記載の情報端末装置において、
上記デバイス利用制御部は、上記取得した画像データを上記アプリケーション実行部に返送するようになっており、
上記アプリケーション実行部は、上記デバイス利用制御部から返送された画像データを上記表示装置に送出するようになっており、
上記表示装置は、上記アプリケーション実行部から送出されてくる上記画像データに基づいて、当該デバイスの搭載位置を表す画像を表示するようになっている
ことを特徴とする情報端末装置。
【発明の詳細な説明】
【技術分野】
【０００１】
この発明は、汎用のアプリケーションを利用する情報端末装置に関する。
【背景技術】
【０００２】
赤外線通信を行うアプリケーションを利用する情報端末装置として、「ＦＯＭＡ ＳＨ９０６i 取扱説明書」ＮＴＴドコモ(非特許文献１)に開示されたフィーチャーフォンがある。このフィーチャーフォンにおいては、赤外線通信を行う際に本フィーチャーフォン上の赤外線ポートの位置を示す画像を表示することで、ユーザに赤外線ポートの位置を通知するようにしている。
【０００３】
しかしながら、上記従来のフィーチャーフォンにおいては、以下のような問題がある。すなわち、上記従来のフィーチャーフォンでは、赤外線通信を行うアプリケーションがプリインストールされており、赤外線ポートを始めとして、アプリケーションから利用可能な各種デバイスにおける本フィーチャーフォン上の位置が予め把握されている。その上、アプリケーション自体が端末個別にカスタマイズすることが可能である。そのため、赤外線通信を行う際に、本フィーチャーフォン上の赤外線ポートの位置を示す画像の表示が、実現可能になっている。
【０００４】
しかしながら、現在、主流となっているスマートフォンにおいては、端末に依存しない汎用のアプリケーションをダウンロードして利用することが多く、アプリケーション側から利用可能な各種デバイスの位置を知る術がない。
【０００５】
そのために、上記アプリケーション側からユーザに対して使用するデバイスの位置(例えば、赤外線ポートやインカメラの位置)を通知することができず、ユーザは、端末上のどの位置に存在するデバイスをアプリケーションが使用しているのかが分からないという問題がある。
【先行技術文献】
【非特許文献】
【０００６】
【非特許文献１】「ＦＯＭＡ ＳＨ９０６i 取扱説明書」ＮＴＴドコモ
【発明の概要】
【発明が解決しようとする課題】
【０００７】
そこで、この発明の課題は、汎用のアプリケーションを利用する場合であっても、上記アプリケーションが使用するデバイスの搭載位置を画像でユーザに知らせることができる情報端末装置を提供することにある。
【課題を解決するための手段】
【０００８】
上記課題を解決するため、この発明の情報端末装置は、
アプリケーションを実行する際に利用されるデバイスと、
アプリケーションを実行すると共に、上記実行しているアプリケーションが利用する上記デバイスの利用開始の通知を行うアプリケーション実行部と、
上記デバイスの搭載位置を表す画像の画像データが格納されたデバイス位置画像データベースと、
上記アプリケーション実行部からの上記通知に呼応して、上記デバイス位置画像データベースから、上記アプリケーションが利用する当該デバイスの搭載位置を表す画像の画像データを取得するデバイス利用制御部と、
上記取得された画像データに基づいて、当該デバイスの搭載位置を表す画像を表示する表示装置と
を備えたことを特徴としている。
【発明の効果】
【０００９】
以上より明らかなように、この発明の情報端末装置は、本情報端末装置に搭載されたデバイスの搭載位置を表す画像の画像データを、上記デバイス位置画像データベースに格納している。そして、アプリケーションを実行している上記アプリケーション実行部からの通知に従って、上記デバイス利用制御部によって、上記デバイス位置画像データベースから利用するデバイスの搭載位置を表す画像の画像データを取得し、上記表示装置によって表示するようにしている。
【００１０】
したがって、汎用のアプリケーションを利用する場合であっても、上記デバイス位置画像データベースを用いることによって、上記アプリケーションが使用するデバイスの搭載位置を画像によってユーザに知らせることができる。
【図面の簡単な説明】
【００１１】
【図１】この発明の情報端末装置における概略機能ブロック図である。
【図２】利用するデバイスの位置を示す画像の表示例を示す図である。
【図３】図１とは異なる概略機能ブロック図である。
【図４】図２とは異なる画像の表示例を示す図である。
【発明を実施するための形態】
【００１２】
以下、この発明を図示の実施の形態により詳細に説明する。
【００１３】
・第１実施の形態
図１は、本実施の形態の情報端末装置における概略機能ブロック図を示す。図１において、表示装置１は、利用するアプリケーションによる画像や、アプリケーションが使用するデバイスの搭載位置を表す画像を表示する。アプリケーション実行部２は、ダウンロードされた汎用のアプリケーションを実行すると共に、当該アプリケーションによる画像の画像データを表示装置１に送出して上記画像を表示させる。デバイス位置画像データベース３は、予め本情報端末装置５に搭載さている各デバイス(図示せず)の搭載位置を表す画像の画像データを格納しているデータベースである。デバイス利用制御部４は、アプリケーション実行部２からのデバイス利用開始の通知を受けて、利用するデバイスの搭載位置を表す画像をデバイス位置画像データベース３から取得する。そして、表示装置１に送出して、予め設定された設定時間だけ表示させる。
【００１４】
尚、具体的には、上記アプリケーション実行部２およびデバイス利用制御部４は、ＣＰＵ(中央演算処理装置)によって構成されている。
【００１５】
上記構成において、記憶装置(図示せず)にアプリケーションがダウンロードされると、アプリケーション実行部２によって、上記アプリケーションによる処理が実行され、処理結果等の上記アプリケーションによる画像が表示装置１によって表示される。その場合の上記アプリケーションは、端末に依存しない汎用のアプリケーションである。こうして、上記アプリケーションが実行されている際に、予め本情報端末装置５に搭載されているデバイスを使用する場合には、アプリケーション実行部２からデバイス利用制御部４に対して、利用するデバイスおよび当該デバイスの利用開始が通知される。
【００１６】
そうすると、上記デバイス利用制御部４によって、上記アプリケーションが利用する当該デバイスの位置を表す画像の画像データが、デバイス位置画像データベース３から取得されて表示装置１に送出される。そして、表示装置１によって、図２に示すように、当該デバイスの搭載位置を表す画像６が、上記アプリケーションによって表示されている画像７に重畳されて上記設定時間だけ表示される。但し、図２は、利用するデバイスが赤外線ポートの場合である。また、図２(b)は、当該デバイスの搭載位置を表す画像６の拡大図である。
【００１７】
したがって、ユーザは、表示されている利用デバイスの位置を示す画像６から、本情報端末装置５の最適な位置や向きを、容易に判断することが可能になる。また、インカメラのように同じデバイスが複数有る場合には、何れのデバイスであるかを容易に判断することが可能になる。
【００１８】
以上のごとく、本実施の形態においては、上記アプリケーションによる本情報端末装置５に搭載されているデバイスの利用開始を契機に、デバイス利用制御部４によって、上記デバイスの搭載位置を表す画像６を表示するようにしている。したがって、上記アプリケーション側の対応に因らずに、上記アプリケーションが利用するデバイスの位置を、適切なタイミングで、ユーザに通知することができる。
【００１９】
また、上記非特許文献１に開示された従来のフィーチャーフォンにおいては、プリインストールされているアプリケーション以外の汎用のアプリケーションでは、そのアプリケーションが利用する各種デバイスの搭載位置をユーザに通知することはできない。それに対し、本実施の形態においては、情報端末装置５に依存しない汎用のアプリケーションであっても、デバイス位置画像データベース３を用いることによって、当該アプリケーションが利用する各種デバイスの位置をユーザに通知することができるのである。
【００２０】
尚、上記実施の形態においては、利用するデバイスの搭載位置を表す画像６を、予め設定された設定時間だけ表示するようにしている。しかしながら、この発明はこれに限定されるものではなく、上記デバイスの位置を表す画像６の表示時間は、ユーザが設定可能に構成してもよい。
【００２１】
また、上記実施の形態においては、利用するデバイスの搭載位置を表す画像６を、上記アプリケーションによって表示されている画像７に重畳して表示するようにしている。その際に、上記アプリケーションによって表示されている画像７に対して当該デバイスの搭載位置を表す画像６を重畳する場合の重畳位置、重畳する画像のサイズ、重畳する画像の半透過等を、ユーザが設定可能に構成してもよい。
【００２２】
・第２実施の形態
上記第１実施の形態においては、上記情報端末装置５側のデバイス利用制御部４によって、上記利用するデバイスの位置画像を表示装置１に表示させるようにしている。それに対し、本実施の形態においては、利用するアプリケーションを実行するアプリケーション実行部の指示によって、上記利用するデバイスの位置画像を表示装置に表示させるものである。
【００２３】
図３は、本実施の形態の情報端末装置における概略機能ブロック図を示す。
【００２４】
図３において、表示装置１１は、上記第１実施の形態の場合と同様に、利用するアプリケーションによる画像や、アプリケーションが使用するデバイスの搭載位置を表す画像を表示する。アプリケーション実行部１２は、ダウンロードされた汎用のアプリケーションを実行すると共に、当該アプリケーションによる画像を表示装置１１に送出して上記画像を表示させる。デバイス位置画像データベース１３は、第１実施の形態の場合と同様に、予め本情報端末装置１５に搭載されている各デバイス(図示せず)の搭載位置を表す画像の画像データを格納している。デバイス利用制御部１４は、アプリケーション実行部１２からのデバイス利用開始の通知を受けて、利用するデバイスの搭載位置を表す画像をデバイス位置画像データベース１３から取得し、アプリケーション実行部１２に返送する。そうすると、アプリケーション実行部１２は、利用するデバイスの搭載位置を表す画像を、表示装置１１に送出して、予め設定された設定時間だけ表示させる。
【００２５】
尚、上記第１実施の形態の場合と同様に、上記アプリケーション実行部１２および上記デバイス利用制御部１４は、ＣＰＵ(中央演算処理装置)によって構成されている。
【００２６】
上記構成において、記憶装置(図示せず)にアプリケーションがダウンロードされると、アプリケーション実行部１２によって、上記アプリケーションによる処理が実行され、処理結果等の上記アプリケーションによる画像が表示装置１１によって表示される。こうして、上記アプリケーションが実行されている際に、予め本情報端末装置１５に搭載されているデバイスを使用する場合は、アプリケーション実行部１２からデバイス利用制御部１４に対して、利用するデバイスおよび当該デバイスの利用開始が通知される。
【００２７】
そうすると、上記デバイス利用制御部１４によって、上記アプリケーションが利用する当該デバイスの搭載位置を表す画像の画像データが、デバイス位置画像データベース１３から取得される。さらに、この取得された画像データが、アプリケーション実行部１２に返送される。そして、アプリケーション実行部１２によって、上記画像データが表示装置１１に送出され、表示装置１１によって、上記利用するデバイスの搭載位置を表す画像１６が、図４に示すように上記設定時間だけ表示される。但し、図４は、利用するデバイスが赤外線ポートの場合である。
【００２８】
以上のごとく、本実施の形態においては、上記アプリケーションが本情報端末装置５に搭載されているデバイスの利用開始を契機に、アプリケーション実行部１２側で、上記デバイスの搭載位置を表す画像１６を表示させる(具体例としては、アプリケーションが表示している画像の特定の領域に表示させる)ようにしている。したがって、上記アプリケーションによる画像の表示やその他の動作を阻害すること無く、上記アプリケーション側での最適なタイミングで、ユーザに通知することが可能になる。
【００２９】
この場合、上記第１実施の形態の場合とは異なり、アプリケーション側の対応が必要となる。しかしながら、アプリケーション側は、本情報端末装置５のシステム(デバイス利用制御部１４)側から渡された画像を表示させるのみで、本情報端末装置５に依存の実装を行う必要がない。したがって、情報端末装置１５に依存しない汎用のアプリケーションの場合であっても、プリインストールされたアプリケーションと共通の実装によって対応が可能である。
【００３０】
尚、上記各実施の形態においては、アプリケーションが使用するデバイスとして赤外線ポートを例に挙げて説明している。しかしながら、この発明は、これに限定されるものではなく、例えばインカメラ,イヤホンおよびFeliCa(登録商標)等であってもよい。
【００３１】
また、上記各実施の形態においては、実行しているアプリケーションがデバイスの利用を開始する際に、当該デバイスの搭載位置を表す画像の画像データを取得するようにしている。しかしながら、この発明は、これに限定されるものではなく、利用するアプリケーションの起動時に当該画像データを取得することも可能である。
【００３２】
また、上記各実施の形態においては、上記アプリケーション実行部２,１２が汎用のアプリケーションを実行する場合を例に挙げて説明している。しかしながら、この発明は、これに限定されるものではなく、プリインストールされたアプリケーションを実行する場合も適用可能である。
【００３３】
上述したように、この発明の情報端末装置は、
アプリケーションを実行する際に利用されるデバイスと、
アプリケーションを実行すると共に、上記実行しているアプリケーションが利用する上記デバイスの利用開始の通知を行うアプリケーション実行部２,１２と、
上記デバイスの搭載位置を表す画像の画像データが格納されたデバイス位置画像データベース３,１３と、
上記アプリケーション実行部２,１２からの上記通知に呼応して、上記デバイス位置画像データベース３,１３から、上記アプリケーションが利用する当該デバイスの搭載位置を表す画像の画像データを取得するデバイス利用制御部４,１４と、
上記取得された画像データに基づいて、当該デバイスの搭載位置を表す画像６,１６を表示する表示装置１,１１と
を備えたことを特徴としている。
【００３４】
上記構成によれば、本情報端末装置に搭載されたデバイスの搭載位置を表す画像の画像データを、上記デバイス位置画像データベース３,１３に格納している。そして、アプリケーションを実行している上記アプリケーション実行部２,１２からの通知に従って、上記デバイス利用制御部４,１４によって、上記デバイス位置画像データベース３,１３から利用するデバイスの搭載位置を表す画像の画像データを取得し、上記表示装置１,１１によって表示するようにしている。
【００３５】
したがって、汎用のアプリケーションを利用する場合であっても、上記デバイス位置画像データベース３,１３を用いることによって、上記アプリケーションが使用するデバイスの搭載位置を画像によってユーザに知らせることができる。
【００３６】
また、一実施の形態の情報端末装置では、
上記デバイス利用制御部４は、上記取得した画像データを上記表示装置１に送出するようになっており、
上記表示装置１は、上記デバイス利用制御部４から送出されてくる上記画像データに基づいて、当該デバイスの搭載位置を表す画像６を表示するようになっている。
【００３７】
この実施の形態によれば、上記デバイス利用制御部４は上記取得した画像データを上記表示装置１に送出し、上記表示装置１によって、当該デバイスの搭載位置を表す画像６を表示するので、上記アプリケーション側の対応に因らずに、上記アプリケーションが利用するデバイスの搭載位置を、当該デバイスの利用開始に応じた適切なタイミングで、ユーザに通知することができる。
【００３８】
また、一実施の形態の情報端末装置では、
上記表示装置１は、
上記アプリケーション実行部２からの画像データに基づいて、上記実行されているアプリケーションによる画像７をも表示するようになっており、
上記アプリケーションによる画像７を表示している場合には、当該デバイスの搭載位置を表す画像６を、上記アプリケーションによる画像７に重畳して表示するようになっている。
【００３９】
この実施の形態によれば、当該デバイスの搭載位置を表す画像６を、上記実行されているアプリケーションによる画像７に重畳して表示するようにしている。したがって、当該デバイスの搭載位置を表す画像６を、上記アプリケーション側の対応に因らずに、当該デバイスの利用開始に応じた適切なタイミングで表示する場合において、上記実行されているアプリケーションによる動作の妨げを最小限にすることができる。
【００４０】
また、一実施の形態の情報端末装置では、
上記デバイス利用制御部１４は、上記取得した画像データを上記アプリケーション実行部１２に返送するようになっており、
上記アプリケーション実行部１２は、上記デバイス利用制御部１４から返送された画像データを上記表示装置１１に送出するようになっており、
上記表示装置１１は、上記アプリケーション実行部１２から送出されてくる上記画像データに基づいて、当該デバイスの搭載位置を表す画像１６を表示するようになっている。
【００４１】
この実施の形態によれば、上記デバイス利用制御部１４は上記取得した画像データを上記アプリケーション実行部１２に返送し、上記表示装置１１は、上記アプリケーション実行部１２から送出されてくる上記画像データに基づいて、当該デバイスの搭載位置を表す画像１６を表示するので、上記アプリケーションが利用するデバイスの搭載位置を、上記アプリケーションによる画像の表示やその他の動作を阻害すること無く、上記アプリケーション側での最適なタイミングで、ユーザに通知することが可能になる。
【符号の説明】
【００４２】
１,１１…表示装置、
２,１２…アプリケーション実行部、
３,１３…デバイス位置画像データベース、
４,１４…デバイス利用制御部、
５,１５…情報端末装置、
６,１６…アプリケーションが利用するデバイスの搭載位置を表す画像、
７…アプリケーションによって表示されている画像。
【図１】
2015061223.tif 000003
【図２】
2015061223.tif 000004
【図３】
2015061223.tif 000005
【図４】
2015061223.tif 000006